【事件の表示】
　特許第５８８８５２７号に関する訂正審判事件について、次のとおり審決する。
【結　論】
　特許第５８８８５２７号の特許請求の範囲を本件審判請求書に添付された訂正特許請求の範囲のとおり訂正することを認める。
【理　由】
第１　事案の概要
１　手続の経緯
　特願２０１４−６０４２９号は、平成２６年３月２４日の出願であって、平成２８年１月１２日に特許査定され、その後、請求項１に係る発明について、同年２月２６日に特許権の設定の登録がされ（特許第５８８８５２７号、以下「本件特許」という。）、令和３年１月１５日に訂正審判（以下「本件審判」という。）が請求されたものである。
　　　　
２　請求の趣旨
　本件審判の請求の趣旨は、「特許第５８８８５２７号の特許請求の範囲を、本件審判請求書に添付した訂正特許請求の範囲のとおり訂正することを認める、との審決を求める。」というものである。また、請求人が求める訂正の内容は、以下のとおりである。
３　訂正の内容
　本件審判の請求に係る訂正（以下、「本件訂正」という。）の内容は、次のものである。
＜訂正事項＞　
　本件特許の願書に添付した特許請求の範囲の請求項１に
「規定数の遊技媒体が設定されたことを条件に遊技が実行可能となり、複数のリールが停止したときに表示される図柄組合せに対応付けられる制御を実行するスロットマシンであって、
　役抽選を行う抽選手段と、
　前記各リールに対応して設けられる複数の停止操作手段と、
　前記抽選手段による抽選結果及び前記停止操作手段への停止操作に基づいて前記リールを制御して図柄を停止表示する図柄表示制御手段と、
　通常遊技状態、特別遊技状態を少なくとも含む複数の遊技状態と、を備え、
　前記抽選手段による抽選結果には、
　停止表示することで特別遊技状態に移行させる特別図柄組合せに対応する役の当選を含む特別抽選結果と、
　再遊技抽選結果と、
　所定数の遊技媒体を払い出す第１の図柄組合せに対応する役、及び前記所定数よりも少ない遊技媒体を払い出す第３の図柄組合せに対応する役の当選を含む第１の抽選結果と、
　前記所定数の遊技媒体を払い出す第２の図柄組合せに対応する役、及び前記所定数よりも少ない遊技媒体を払い出す第４の図柄組合せに対応する役の当選を含む第２の抽選結果と、
　前記第１の図柄組合せに対応する役及び前記第２の図柄組合せに対応する役の当選を含む第３の抽選結果と、を少なくとも有し、
　通常遊技状態では、抽選結果として前記第１若しくは第２の抽選結果が決定される場合があり、
　特別遊技状態では、抽選結果として前記第３の抽選結果が決定される場合があり、
　特別抽選結果が表示されることで通常遊技状態から特別遊技状態へ移行が可能であり、
　通常遊技状態で再遊技抽選結果となる確率は、特別遊技状態で再遊技抽選結果となる確率よりも高い
ことを特徴とするスロットマシン。」と記載されているのを、
「規定数の遊技媒体が設定されたことを条件に遊技が実行可能となり、複数のリールが停止したときに表示される図柄組合せに対応付けられる制御を実行するスロットマシンであって、
　役抽選を行う抽選手段と、
　前記各リールに対応して設けられる複数の停止操作手段と、
　前記抽選手段による抽選結果及び前記停止操作手段への停止操作に基づいて前記リールを制御して図柄を停止表示する図柄表示制御手段と、
　通常遊技状態、特別遊技状態を少なくとも含む複数の遊技状態と、を備え、
　前記抽選手段による抽選結果には、
　停止表示することで特別遊技状態に移行させる特別図柄組合せに対応する役の当選を含む特別抽選結果と、
　再遊技抽選結果と、
　所定数の遊技媒体を払い出す第１の図柄組合せに対応する役、及び前記所定数よりも少ない遊技媒体を払い出す第３の図柄組合せに対応する役の当選を含む第１の抽選結果と、
　前記所定数の遊技媒体を払い出す第２の図柄組合せに対応する役、及び前記所定数よりも少ない遊技媒体を払い出す第４の図柄組合せに対応する役の当選を含む第２の抽選結果と、
　前記第１の図柄組合せに対応する役及び前記第２の図柄組合せに対応する役の当選を含む第３の抽選結果と、を少なくとも有し、
　通常遊技状態では、抽選結果として前記第１若しくは第２の抽選結果が決定される場合があり、
　特別遊技状態では、抽選結果として前記第３の抽選結果が決定される場合があり、
　特別抽選結果が
決定され、特別図柄組合せが停止
　通常遊技状態で再遊技抽選結果となる確率は、特別遊技状態で再遊技抽選結果となる確率よりも高い
ことを特徴とするスロットマシン。」に訂正する。
　なお、下線は当合議体が付したものであり、訂正箇所を表す。以下同様。
第２　当合議体の判断
　以下、本件訂正前の願書に添付した特許請求の範囲の請求項１を、「訂正前請求項１」という。
　本件訂正後についても、「訂正前」を「訂正後」に変えて同様に、「訂正後請求項１」という。
　また、訂正後請求項１に係る発明を、「訂正後発明 」  という。
１　特許法第１２６条第１項ただし書（訂正の目的）について
（１）訂正事項　
　訂正前請求項１では「特別抽選結果が表示されることで通常遊技状態から特別遊技状態へ移行が可能であり」と記載されており、当該記載中において、「特別抽選結果が表示される」と記載されている。
　一方、訂正前請求項１では「役抽選を行う抽選手段」、「前記抽選手段による抽選結果」、「役の当選を含む特別抽選結果」、「役の当選を含む第１の抽選結果」、「役の当選を含む第２の抽選結果」、「役の当選を含む第３の抽選結果」、「抽選結果として前記第１若しくは第２の抽選結果が決定される」、「抽選結果として前記第３の抽選結果が決定される」と記載されており、「抽選結果」は「役の当選」を含むものであり、「抽選手段」による「役抽選」による「抽選結果」として「決定される」ものである。
　また、訂正前請求項１では「複数のリールが停止したときに表示される図柄組合せ」と記載されており、「図柄組合せ」は「複数のリールが停止したときに表示される」ものであり、同じく訂正前請求項１では「停止表示することで特別遊技状態に移行させる特別図柄組合せ」と記載されており、「特別図柄組合せ」は、「停止表示することで特別遊技状態に移行させる」ものである。
　そうすると、訂正前請求項１の「特別抽選結果が表示される」との記載は、同じく訂正前請求項１の上記した他の記載と不合理を生じているために不明瞭となっているといえる。
　よって、訂正前請求項１の「特別抽選結果が表示されること」という記載を、「特別抽選結果が決定され、特別図柄組合せが停止表示されること」と訂正する上記訂正事項は、上記不合理を正し、その不明瞭な記載を訂正により明瞭とするものであるから、特許請求の範囲の他の記載との関係で不合理を生じているために不明瞭となっている特許請求の範囲に生じている記載上の不備を訂正し、その本来の意を明らかにするものであり、特許法第１２６条第１項ただし書き第３号に規定する明瞭でない記載の釈明を目的とするものである。
（２）小括　
　訂正事項は、特許法第１２６条第１項項ただし書第３号に掲げる「明瞭でない記載の釈明」を目的とするものである。
２　特許法第１２６条第５項（新規事項の有無）について　
（１）訂正事項について　
　訂正後請求項１の「特別抽選結果が決定され、特別図柄組合せが停止表示されることで通常遊技状態から特別遊技状態へ移行が可能であり」に関して、本件特許の願書に添付した特許請求の範囲、明細書又は図面（以下「本件明細書等」という。）には、以下の記載がある（検討に関連する記載に当合議体で下線を付した。）。
「【発明を実施するための形態】
【００１６】
　本発明に係るスロットマシンは、規定数の遊技媒体が設定されたことを条件に１回の単位遊技（単に「遊技」ともいう。）が実行可能となり、複数のリールが停止したときに表示される図柄組合せに対応付けられる遊技役が存在するとき、当該遊技役が成立する等の遊技を提供する遊技機である。以下説明する実施形態のスロットマシンは遊技媒体としてメダルを用いる。ここで「投入」とは、遊技者がメダルをスロットマシン内部に入れること、及び、スロットマシンに設けたベットボタンを操作することにより、遊技にメダルを賭ける一連の動作をいう。以下、図面を参照しながら、
本実施形態によるスロットマシン１０の詳細を説明する
【００１７】
［スロットマシンの外観構造］
　図１は、スロットマシン１０の前面外観を示す正面図である。スロットマシン１０は、略矩形状の筐体を備えており、前扉２０が筐体の前面開口部を開閉可能とするように設けられている。通常、前扉２０は、図１に示されるように筐体の前面を閉じる位置でロックされている。
・・・（中略）・・・
【００７０】
［スロットマシンの遊技に供される遊技役］
　次に、スロットマシンの遊技に供される遊技役（単に「役」ともいう。）を説明する。一般的なスロットマシンの遊技において予め定められている遊技役としては、主なものに小役（ベル等の入賞役）、再遊技役（リプレイ役）、ＢＢ役（ビックボーナス役）、ＲＢ役（レギュラーボーナス役）、ＭＢ役（ミドルボーナス役）などがある。なお、後述するように、各役には、リール４０Ｌ、４０Ｃ、４０Ｒにより停止表示可能な少なくとも１つの図柄組合せが対応付けられている。スロットマシン１０においては、
遊技者によるストップボタン５６Ｌ、５６Ｃ、５６Ｒへの操作に基づいてリール４０Ｌ、４０Ｃ、４０Ｒが停止し、これにより有効ライン（ラインＬ１）に沿って表示された図柄の組合せに対応付けられる役が存在するとき、当該役が成立又は入賞することとなる
・・・（中略）・・・
【００７２】
　ＢＢ役、ＲＢ役及びＭＢ役は、後述する役抽選手段により決定された当選状態を次遊技以降に持ち越すことができる特別役である。このような当選状態を次遊技以降に持ち越すことができる遊技役を「持越役」ともいう。これに対し、上述した小役や再遊技役は、当選状態を次遊技以降に持ち越すことができないので「非持越役」ということがある。
【００７３】
　また、これら特別役が成立すると、次遊技以降、所定の終了条件に至るまで、当該特別役が作動した特別遊技に移行する。したがって、ＢＢ役、ＲＢ役及びＭＢ役などの特別役を「持越可能な作動役」ということがある。なお、スロットマシンに供される特別役（持越役）として、ＢＢ役、ＲＢ役及びＭＢ役全てを備える必要はなく、例えばＢＢ役、ＲＢ役若しくはＭＢ役の何れか１つのみ、ＲＢ役とＭＢ役の双方、又は、ＢＢ役とＲＢ役の双方を備えるものでもよい。
【００７４】
　ＲＢ役は、成立することにより次の遊技からＲＢ遊技（レギュラーボーナス）に移行させる役である。このＲＢ遊技においては、通常遊技（特別遊技中ではない遊技であって、後述するＲＴ又は非ＲＴにある遊技）に当選する小役よりも少なくともいずれか１つの小役の当選確率が高くなるように設計されている。そして、このような高確率遊技が継続し、所定回数（例えば１２回）の遊技を消化するか、又は、所定回数（例えば８回）の小役の入賞によりＲＢ遊技が終了する。
・・・（中略）・・・
【００７９】
　［スロットマシンにおいて遷移する遊技状態］（メイン制御手段が管理する遊技状態） 図４は、メイン制御手段が管理する遊技状態の遷移を概念的に示す図である。メイン制御手段で管理される遊技の状態は、大まかには「
通常遊技
特別遊技
・・・（中略）・・・
【００８７】
（役抽選手段）
　
役抽選手段は、遊技者によるスタートレバー５５の操作に応じて、メイン制御基板１００が有する乱数発生器によって発生された乱数をサンプリングし、そのサンプリングした当該乱数に基づいて、予め定められている複数種類の遊技役のうち何れか１つ又は複数の役を当選役として決定するか否かを定める手段である
【００８８】
　
小役と再遊技役とは、１つの役だけが当選役に決定される役抽選結果（単独当選）の場合と、小役等の複数の役が同時に当選役に決定される役抽選結果（同時当選）の場合とが存在する。更に、１つ又は複数の小役と１つ又は複数の再遊技役とが同時に当選役に決定される役抽選結果があってもよい（同時複合当選）。更に実施例として後述するが、ＭＢ遊技中には全ての小役が同時に当選状態となる全入賞役当選があり、またＲＢ遊技中には一部又は全部の小役が同時に複合的に当選状態となる入賞役複合当選がある。
・・・中略・・・
【００９５】
（リール制御手段）
　リール制御手段は、リールの４０Ｌ、４０Ｃ、４０Ｒの回転加速制御及び定速制御をする回転制御手段と、リールを制御して図柄を停止表示する図柄表示制御手段とを含む。図柄表示制御手段は、より詳細には、
役抽選手段による役抽選結果、並びに、ストップボタンへの停止操作のタイミング及び／又は停止操作の順番に基づいて、有効ライン（ラインＬ１）に停止表示させるべき図柄を決定する
・・・（中略）・・・
【０１２４】
（遊技状態制御手段）
　遊技状態制御手段は、入賞判定結果に基づいて、遊技状態の移行を制御する。上述したように、通常遊技では、「非内部中」（「非ＲＴ」中）と「内部中」（「ＲＴ」中）の遊技状態が存在する。入賞判定後又は入賞処理後に起動される遊技状態制御手段は、遊技状態が「非内部中」（「非ＲＴ」中）のときにＭＢ役などの特別役が当選すると、遊技状態を「内部中」（「ＲＴ」中）に移行させる。また、遊技状態制御手段は、
「内部中」にＭＢ役などの特別役が成立すると、遊技状態をＭＢなどの特別遊技に移行させる
・・・（中略）・・・
【０１８８】
（ペナルティ手段）
　また、サブ制御回路にはペナルティ手段が備えられる。ペナルティ手段は、メイン制御基板１００から受信したコマンドに基づいて遊技者にペナルティを与える手段である。例えばＡＴ中に報知された操作態様に従って停止操作がされないとき、意図しないタイミングで遊技者に払い出しの結果を与える図柄組合せが表示されるとき、又は、これらの組合せによる結果が得られないとき等には、ＡＴ（操作態様）の報知を一時的に停止したり、ＡＴ抽選を取り止めたり、ＡＴ抽選確率を低く設定したりすることができる。また非ＡＴ中の通常遊技においても、望ましくない停止操作順（例えば変則押しや逆押しなど）が繰り返されたときには、ＡＴへの移行を取り止めたり、ＡＴ抽選確率を低く設定したりすることができる。また、ペナルティ手段は、ＡＴ期間中などの遊技者に有利な状態であるときは設定しないようにしてもよい。
【０１８９】
［実施例１］
　次に、
本発明に係るスロットマシンの具体的な実施例を説明する
・・・（中略）・・・
【０２７７】
　［実施例２］ 次に、本発明に係るスロットマシンの第２の実施例を説明する。ここで、図３０には、第２の実施例による図柄の配列が示される。また、図３１（ａ）には、特別役であるＲＢ役（ＲＢ−０１）に対応付けられた図柄の組合せが示される。本実施例では、ＲＢ−０１に
第１の図柄組合せ「ブランク」「ブランク」「ブランク」
「【０２８３】
　次に、第２の実施例の役抽選手段により生じ得る役抽選結果について説明する。図３４（ａ）には、
特別役であるＲＢに関する役抽選結果（条件装置）
「
」
「
」
「
」
「
」
　以上の記載から、本件明細書等の【００１６】〜【０１８８】及び図１〜図１５では、スロットマシン１０の詳細が説明されており、【０１８９】〜【０２７６】及び図１６〜図２９では、スロットマシンの実施例１が具体的に説明されており、【０２７７】〜【０３０４】及び図３０〜図３６では、スロットマシンの実施例２が具体的に説明されていることがわかる。
　そうすると、「特別役であるＲＢに関する役抽選結果（条件装置）」（【０２８３】）が訂正後請求項１の「特別抽選結果」に対応し、同じく「特別役であるＲＢ役（ＲＢ−０１）に対応付けられた図柄の組合せ」である「第１の図柄組合せ「ブランク」「ブランク」「ブランク」」（【０２７７】）が訂正後請求項１の「特別図柄組合せ」に対応し、同じく「通常遊技」（【００７９】）が訂正後請求項１の「通常遊技状態」に対応し、同じく「特別遊技」が訂正後発明の「特別遊技状態」に対応するといえる。
　また、役抽選手段は、・・・予め定められている複数種類の遊技役のうち何れか１つ又は複数の役を当選役として決定するか否かを定める手段であり（【００８７】）、小役と再遊技役とは、１つの役だけが当選役に決定される役抽選結果（単独当選）の場合と、小役等の複数の役が同時に当選役に決定される役抽選結果（同時当選）の場合とが存在し、ＭＢ遊技中には全ての小役が同時に当選状態となる全入賞役当選があり、またＲＢ遊技中には一部又は全部の小役が同時に複合的に当選状態となる入賞役複合当選がある（【００８８】）ことから、訂正後請求項１の「抽選手段」に対応する「役抽選手段」が「小役」、「再遊技役」及び「ＲＢ」等の当選役を訂正後請求項１の「特別抽選結果」を含む「抽選結果」に対応する「役抽選結果」として決定することが本件明細書等に記載されているといえる。
　また、役抽選手段による役抽選結果、並びに、ストップボタンへの停止操作のタイミング及び／又は停止操作の順番に基づいて、有効ライン（ラインＬ１）に停止表示させるべき図柄を決定する（【００９５】）ことから、訂正後請求項１の「特別抽選結果」を含む「抽選結果」に対応する「役抽選結果」に基づいて、停止表示させるべき図柄を決定することが本件明細書等に記載されているといえる。
　また、遊技者によるストップボタン５６Ｌ、５６Ｃ、５６Ｒへの操作に基づいてリール４０Ｌ、４０Ｃ、４０Ｒが停止し、これにより有効ライン（ラインＬ１）に沿って表示された図柄の組合せに対応付けられる役が存在するとき、当該役が成立又は入賞することとなり（【００７０】）、遊技状態制御手段は、「内部中」にＭＢ役などの特別役が成立すると、遊技状態をＭＢなどの特別遊技に移行させる（【０１２４】）ことから、有効ライン（ラインＬ１）に沿って表示された図柄の組合せに対応付けられる役が存在するとき、当該役が成立又は入賞し、ＭＢ役などの特別役が成立すると、遊技状態をＭＢなどの特別遊技に移行させており、訂正後請求項１の「特別図柄組合わせ」に対応する「特別役」に対応付けられる「図柄の組合せ」が、リールが停止、有効ラインに沿って表示され、「当該役が成立又は入賞する」と、遊技状態を「特別遊技」に移行させることが本件明細書等に記載されているといえる。
　そうすると  、訂正後請求項１の「特別抽選結果が決定され、特別図柄組合せが停止表示されることで通常遊技状態から特別遊技状態へ移行が可能であ」ることが本件明細書等に記載されていることは明らかである。
　したがって、訂正事項は、本件明細書等の記載に基づくものであって、本件明細書等のすべてを総合することにより導かれる技術的事項との関係において新たな技術的事項を導入するものではなく、本件明細書等に記載した事項の範囲内においてされたものである。
　　　　
（２）小括　 
　訂正事項は、特許法第１２６条第５項の規定に適合する。
３　特許法第１２６条第６項（特許請求の範囲の拡張又は変更の有無）について　
（１）訂正事項について
　訂正事項は、「特別抽選結果が表示されること」という明瞭でない記載を、本来の意を表す「特別抽選結果が決定され、特別図柄組合せが停止表示されること」という明瞭な記載に訂正するものであり、訂正前請求項１には、
「役抽選を行う抽選手段」、「前記抽選手段による抽選結果には」「停止表示することで特別遊技状態に移行させる特別図柄組合せに対応する役の当選を含む特別抽選結果」「を少なくとも有」すること、及び「前記抽選手段による抽選結果及び前記停止操作手段への停止操作に基づいて前記リールを制御して図柄を停止表示する」ことがすでに記載されていることから、訂正事項は、実質上特許請求の範囲を拡張し、又は変更するものには該当せず、特許法第１２６条第６項の規定に適合するものである。
（２）小括
　訂正事項は、特許法第１２６条第６項の規定に適合する。
４　特許出願の際に独立して特許を受けることができることについて  
　訂正事項は、特許法第１２６条第１項ただし書第３号に掲げる事項を目的とする訂正であるので、訂正後発明には 、同法第１２６条第７項に規定されるいわゆる独立特許要件は課されない。
第３　むすび
　以上のとおりであるから、本件審判の請求は、特許法第１２６条第１項ただし書第３号に掲げる事項を目的とするものであり、かつ同条第５項及び第６項の規定に適合する。
　よって、結論のとおり審決する。